(57)【特許請求の範囲】
【請求項１】
記憶部に、用途に対応づけてデバイスの識別情報を記憶し、前記記憶部に記憶されている識別情報により識別されるデバイスへ、前記識別情報に対応づけられている用途向けの処理を実行するよう指示を送信する情報処理装置に読込まれる情報処理プログラムであって、前記情報処理装置を、
一の用途向けの処理を実行させるデバイスを特定するデバイス特定手段と、
前記特定手段が特定したデバイスの識別情報を前記一の用途に対応づけて前記記憶部に記憶させる第１記憶制御手段と、
前記第１記憶制御手段が記憶させたデバイスの識別情報を、他の用途に対応づけて前記記憶部に記憶させる第２記憶制御手段と、
前記デバイスの識別情報が前記第２記憶制御手段により記憶されたことを示す追加記憶情報を前記他の用途に対応づけて前記記憶部に記憶させる第３記憶制御手段と、
前記第１記憶制御手段が、一のデバイスの識別情報を前記一の用途に対応づけて前記記憶部に記憶させた後、前記記憶部に前記他の用途に対応づけて前記デバイスの識別情報が記憶されているか判断する第１判断手段と、
前記第１判断手段が、前記他の用途に対応づけて前記デバイスの識別情報が記憶されていると判断した場合は、前記他の用途に対応付けて前記追加記憶情報が記憶されているか判断する第２判断手段と、として機能させ、
前記情報処理装置を、
前記第２判断手段が、前記他の用途に対応づけて前記追加記憶情報が記憶されていると判断した場合は前記第２記憶制御手段が前記他の用途に対応づけて前記一のデバイスの識別情報を記憶させる一方、
前記第２判断手段が、前記他の用途に対応づけて前記追加記憶情報が記憶されていないと判断した場合は、前記第２記憶制御手段が、前記他の用途に対応づけて前記一のデバイスの識別情報を記憶させないよう制御することを特徴とした情報処理プログラム。
【請求項２】
前記情報処理装置を、
前記第１記憶制御手段が、前記特定手段が特定したデバイスの識別情報を前記一の用途に対応づけて前記記憶部に記憶させたときは、
前記一の用途に対応づけて記憶されている前記追加記憶情報を消去させる消去手段として機能させることを特徴とした請求項１に記載の情報処理プログラム。
【請求項３】
前記情報処理装置を、
前記指示送信手段が前記記憶部に記憶されている識別情報により識別されるデバイスへ、前記識別情報に対応づけられている用途向けの処理を実行するよう指示を送信した日時を示す日時情報を、前記記憶部に前記識別情報に対応づけられている用途に、対応づけて記憶させる日時記憶手段と、
前記第２判断手段が、前記他の用途に対応づけて前記追加記憶情報が記憶されていると判断した場合に、前記日時情報と現在の日時を用いて前記日時情報が示す日時が所定の期間以内か判断する第３判断手段と、
前記第３判断手段が、所定の期間以内と判断した場合は、前記他の用途に対応づけて前記一のデバイスの識別情報を記憶させないように前記情報処理装置を制御することを特徴とした請求項１又は２に記載の情報処理プログラム。
【請求項４】
前記識別情報とは、ＩＰアドレスであることを特徴とする請求項１〜３のいずれかに記載の情報処理プログラム。
【請求項５】
前記用途には、画像データを印刷する写真印刷、ウェブページを印刷するウェブ印刷、文書データを印刷する文書印刷、スキャンのいずれかを含むことを特徴とした、請求項1〜４のいずれかに記載の情報処理プログラム。
【請求項６】
前記情報処理装置を、
前記指示送信手段が前記記憶部に記憶されている識別情報により識別されるデバイスへ、前記識別情報に対応づけられている用途向けの処理を実行するよう指示を送信したことを示す履歴情報を、前記識別情報に対応づけられている用途に対応づけて記憶する履歴記憶手段と
前記第２判断手段が、前記他の用途と対応づけて前記追加記憶情報が記憶されていると判断した場合に、前記他の用途と対応づけて前記履歴情報が記憶されているか判断する第３判断手段と、して機能させ
前記第３判断手段が、前記履歴情報が記憶されていると判断した場合は、前記他の用途と対応づけて前記一のデバイスの識別情報を記憶させないように前記情報処理装置を制御することを特徴とした請求項１、２、４、５のいずれかに記載の情報処理プログラム。
【請求項７】
記憶部に、用途に対応づけてデバイスの識別情報を記憶し、前記記憶部に記憶されている識別情報により識別されるデバイスへ、前記識別情報に対応づけられている用途向けの処理を実行するよう指示を送信する指示送信手段を備える情報処理装置であって、前記情報処理装置は、
一の用途向けの処理を実行させるデバイスを特定するデバイス特定手段と、
前記特定手段が特定したデバイスの識別情報を前記一の用途に対応づけて前記記憶部に記憶させる第１記憶制御手段と、
前記第１記憶制御手段が記憶させたデバイスの識別情報を、他の用途に対応づけて前記記憶部に記憶させる第２記憶制御手段と、
前記デバイスの識別情報が前記第２記憶制御手段により記憶されたことを示す追加記憶情報を前記他の用途に対応づけて前記記憶部に記憶させる第３記憶制御手段と、
前記第１記憶制御手段が、一のデバイスの識別情報を前記一の用途に対応づけて前記記憶部に記憶させた後、前記記憶部に前記他の用途に対応づけて前記デバイスの識別情報が記憶されているか判断する第１判断手段と、
前記第１判断手段が、前記他の用途に対応づけて前記デバイスの識別情報が記憶されていると判断した場合は、前記他の用途に対応付けて前記追加記憶情報が記憶されているか判断する第２判断手段と、を備え、
前記第２判断手段が、前記他の用途に対応づけて前記追加記憶情報が記憶されていると判断した場合は前記第２記憶制御手段が前記他の用途に対応づけて前記一のデバイスの識別情報を記憶させる一方、
前記第２判断手段が、前記他の用途に対応づけて前記追加記憶情報が記憶されていないと判断した場合は、前記第２記憶制御手段が、前記他の用途に対応づけて前記一のデバイスの識別情報を記憶させないことを特徴とした情報処理装置。
【請求項８】
記憶部に、用途に対応づけてデバイスの識別情報を記憶し、前記記憶部に記憶されている識別情報により識別されるデバイスへ、前記識別情報に対応づけられている用途向けの処理を実行するよう指示を送信する指示送信手段を備える情報処理装置が情報処理を行う情報処理方法において、
一の用途向けの処理を実行させるデバイスを特定するデバイス特定ステップと、
前記特定ステップで特定したデバイスの識別情報を前記一の用途に対応づけて前記記憶部に記憶させる第１記憶制御ステップと、
前記第１記憶制御ステップで記憶させたデバイスの識別情報を、他の用途に対応づけて前記記憶部に記憶させる第２記憶制御ステップと、
前記デバイスの識別情報が前記第２記憶制御ステップで記憶されたことを示す追加記憶情報を前記他の用途に対応づけて前記記憶部に記憶させる第３記憶制御ステップと、
前記第１記憶制御ステップで、一のデバイスの識別情報を前記一の用途に対応づけて前記記憶部に記憶させた後、前記記憶部に前記他の用途に対応づけて前記デバイスの識別情報が記憶されているか判断する第１判断ステップと、
前記第１判断ステップで、前記他の用途に対応づけて前記デバイスの識別情報が記憶されていると判断された場合は、前記他の用途に対応付けて前記追加記憶情報が記憶されているか判断する第２判断ステップと、を備え、
前記第２判断ステップで、前記他の用途に対応づけて前記追加記憶情報が記憶されていると判断された場合は前記第２記憶制御ステップで前記他の用途に対応づけて前記一のデバイスの識別情報を記憶させる一方、
前記第２判断ステップで、前記他の用途に対応づけて前記追加記憶情報が記憶されていないと判断された場合は、前記第２記憶制御ステップで、前記他の用途に対応づけて前記一のデバイスの識別情報を記憶させないことを特徴とした情報処理方法。
【発明の詳細な説明】
【技術分野】
【０００１】
本発明は、情報処理装置において、用途ごと、或いはデータの種類ごとに処理をさせるデバイスを設定することができる技術に関する。
【背景技術】
【０００２】
従来、ＰＣなどのコンピュータにおいて、ネットワーク環境下に接続された複数のプリンタからユーザ所望のプリンタを選択し、印刷指示を送信する印刷環境が一般的に普及してきている。ユーザは所望のプリンタで印刷をするために、そのプリンタの種類に対応したドライバをインストールする。ドライバをインストールするとき、そのドライバを通じて使用されるプリンタのＩＰアドレスが、ＰＣに記憶される。一つ以上のプリンタのＩＰアドレスがＰＣに記憶されている場合は、その中から一のプリンタのＩＰアドレスが、優先的に使用されるプリンタとして登録されている。このようなプリンタはデフォルトプリンタと呼ばれている。ＰＣは、ユーザから印刷指示を送信するプリンタの指定を受け付けずにドキュメントの印刷要求を受け付けた場合、デフォルトプリンタとして登録されているプリンタへ印刷指示を送信する。
【０００３】
特許文献１には、複数のプリンタが接続されたネットワーク環境に接続されたＰＣにおいて、デフォルトプリンタとして登録されているプリンタが省電力モードであるときは、他のプリンタを一時的なデフォルトプリンタとして使用する技術が示されている。
【先行技術文献】
【特許文献】
【０００４】
【特許文献１】特開２００９−３５８６
【発明の概要】
【発明が解決しようとする課題】
【０００５】
しかし、特許文献１では、デフォルトプリンタでは実行することができない処理が所望される場合は、ＰＣにドライバがインストールされているプリンタの中から都度、所望される処理を実行可能なプリンタを選択する必要があった。このような作業は、ユーザにとって面倒であるため、用途や、処理するデータに応じて適したデバイスを登録できることが望まれる。しかし、そのためには、ユーザは用途やデータごとに使用するデバイスの登録作業を行う必要があり、煩わしくなる。
【０００６】
上述した問題点を含め、本発明はユーザにかけさせる手間を極力少なくし、用途ごと或いはデータの種類ごとに処理させるデバイスを設定することができる情報処理装置プログラムおよび、情報処理装置、情報処理方法を提供することを目的としている。
【課題を解決するための手段】
【０００７】
この目的を達成するための請求項１に係る発明は、記憶部に、用途に対応づけてデバイスの識別情報を記憶し、前記記憶部に記憶されている識別情報により識別されるデバイスへ、前記識別情報に対応づけられている用途向けの処理を実行するよう指示を送信する情報処理装置に読込まれる情報処理プログラムであって、前記情報処理装置を、一の用途向けの処理を実行させるデバイスを特定するデバイス特定手段と、前記特定手段が特定したデバイスの識別情報を前記一の用途に対応づけて前記記憶部に記憶させる第１記憶制御手段と、前記第１記憶制御手段が記憶させたデバイスの識別情報を、他の用途に対応づけて前記記憶部に記憶させる第２記憶制御手段と、前記デバイスの識別情報が前記第２記憶制御手段により記憶されたことを示す追加記憶情報を前記他の用途に対応づけて前記記憶部に記憶させる第３記憶制御手段と、前記第１記憶制御手段が、一のデバイスの識別情報を前記一の用途に対応づけて前記記憶部に記憶させた後、前記記憶部に前記他の用途に対応づけて前記デバイスの識別情報が記憶されているか判断する第１判断手段と、前記第１判断手段が、前記他の用途に対応づけて前記デバイスの識別情報が記憶されていると判断した場合は、前記他の用途に対応付けて前記追加記憶情報が記憶されているか判断する第２判断手段と、として機能させ、前記情報処理装置を、前記第２判断手段が、前記他の用途に対応づけて前記追加記憶情報が記憶されていると判断した場合は前記第２記憶制御手段が前記他の用途に対応づけて前記一のデバイスの識別情報を記憶させる一方、前記第２判断手段が、前記他の用途に対応づけて前記追加記憶情報が記憶されていないと判断した場合は、前記第２記憶制御手段が、前記他の用途に対応づけて前記一のデバイスの識別情報を記憶させないよう制御することを特徴とした情報処理プログラムである。
【０００８】
また、請求項２に係る発明は、前記情報処理装置を、前記第１記憶制御手段が、前記特定手段が特定したデバイスの識別情報を前記一の用途に対応づけて前記記憶部に記憶させたときは、前記一の用途に対応づけて記憶されている前記追加記憶情報を消去させる消去手段として機能させることを特徴とした請求項１に記載の情報処理プログラムである。
【０００９】
また、請求項３に係る発明は、前記情報処理装置を、前記指示送信手段が前記記憶部に記憶されている識別情報により識別されるデバイスへ、前記識別情報に対応づけられている用途向けの処理を実行するよう指示を送信した日時を示す日時情報を、前記記憶部に前記識別情報に対応づけられている用途に、対応づけて記憶させる日時記憶手段と、前記第２判断手段が、前記他の用途に対応づけて前記追加記憶情報が記憶されていると判断した場合に、前記日時情報と現在の日時を用いて前記日時情報が示す日時が所定の期間以内か判断する第３判断手段と、前記第３判断手段が、所定の期間以内と判断した場合は、前記他の用途に対応づけて前記一のデバイスの識別情報を記憶させないように前記情報処理装置を制御することを特徴とした請求項１又は２に記載の情報処理プログラムである。
【００１０】
また、請求項４に係る発明は、前記識別情報とは、ＩＰアドレスであることを特徴とする請求項１〜３のいずれかに記載の情報処理プログラムである。
【００１１】
また、請求項５に係る発明は、前記用途には、画像データを印刷する写真印刷、ウェブページを印刷するウェブ印刷、文書データを印刷する文書印刷、スキャンのいずれかを含むことを特徴とした、請求項1〜４のいずれかに記載の情報処理プログラムである。
【００１２】
また、請求項６に係る発明は、前記情報処理装置を、前記指示送信手段が前記記憶部に記憶されている識別情報により識別されるデバイスへ、前記識別情報に対応づけられている用途向けの処理を実行するよう指示を送信したことを示す履歴情報を、前記識別情報に対応づけられている用途に対応づけて記憶する履歴記憶手段と、前記第２判断手段が、前記他の用途と対応づけて前記追加記憶情報が記憶されていると判断した場合に、前記他の用途と対応づけて前記履歴情報が記憶されているか判断する第３判断手段と、して機能させ前記第３判断手段が、前記履歴情報が記憶されていると判断した場合は、前記他の用途と対応づけて前記一のデバイスの識別情報を記憶させないように前記情報処理装置を制御することを特徴とした請求項１、２、４、５のいずれかに記載の情報処理プログラムである。
【００１３】
また、請求項７に係る発明は、記憶部に、用途に対応づけてデバイスの識別情報を記憶し、前記記憶部に記憶されている識別情報により識別されるデバイスへ、前記識別情報に対応づけられている用途向けの処理を実行するよう指示を送信する情報処理装置であって、前記情報処理装置は、一の用途向けの処理を実行させるデバイスを特定するデバイス特定手段と、前記特定手段が特定したデバイスの識別情報を前記一の用途に対応づけて前記記憶部に記憶させる第１記憶制御手段と、前記第１記憶制御手段が記憶させたデバイスの識別情報を、他の用途に対応づけて前記記憶部に記憶させる第２記憶制御手段と、前記デバイスの識別情報が前記第２記憶制御手段により記憶されたことを示す追加記憶情報を前記他の用途に対応づけて前記記憶部に記憶させる第３記憶制御手段と、前記第１記憶制御手段が、一のデバイスの識別情報を前記一の用途に対応づけて前記記憶部に記憶させた後、前記記憶部に前記他の用途に対応づけて前記デバイスの識別情報が記憶されているか判断する第１判断手段と、前記第１判断手段が、前記他の用途に対応づけて前記デバイスの識別情報が記憶されていると判断した場合は、前記他の用途に対応付けて前記追加記憶情報が記憶されているか判断する第２判断手段と、を備え、前記第２判断手段が、前記他の用途に対応づけて前記追加記憶情報が記憶されていると判断した場合は前記第２記憶制御手段が前記他の用途に対応づけて前記一のデバイスの識別情報を記憶させる一方、前記第２判断手段が、前記他の用途に対応づけて前記追加記憶情報が記憶されていないと判断した場合は、前記第２記憶制御手段が、前記他の用途に対応づけて前記一のデバイスの識別情報を記憶させないことを特徴とした情報処理装置である。
【００１４】
また、請求項８に係る発明は、記憶部に、用途に対応づけてデバイスの識別情報を記憶し、前記記憶部に記憶されている識別情報により識別されるデバイスへ、前記識別情報に対応づけられている用途向けの処理を実行するよう指示を送信する情報処理装置が情報処理を行う情報処理方法において、一の用途向けの処理を実行させるデバイスを特定するデバイス特定ステップと、前記特定ステップで特定したデバイスの識別情報を前記一の用途に対応づけて前記記憶部に記憶させる第１記憶制御ステップと、前記第１記憶制御ステップで記憶させたデバイスの識別情報を、他の用途に対応づけて前記記憶部に記憶させる第２記憶制御ステップと、前記デバイスの識別情報が前記第２記憶制御ステップで記憶されたことを示す追加記憶情報を前記他の用途に対応づけて前記記憶部に記憶させる第３記憶制御ステップと、前記第１記憶制御ステップで、一のデバイスの識別情報を前記一の用途に対応づけて前記記憶部に記憶させた後、前記記憶部に前記他の用途に対応づけて前記デバイスの識別情報が記憶されているか判断する第１判断ステップと、前記第１判断ステップで、前記他の用途に対応づけて前記デバイスの識別情報が記憶されていると判断された場合は、前記他の用途に対応付けて前記追加記憶情報が記憶されているか判断する第２判断ステップと、を備え、前記第２判断ステップで、前記他の用途に対応づけて前記追加記憶情報が記憶されていると判断された場合は前記第２記憶制御ステップで前記他の用途に対応づけて前記一のデバイスの識別情報を記憶させる一方、前記第２判断ステップで、前記他の用途に対応づけて前記追加記憶情報が記憶されていないと判断された場合は、前記第２記憶制御ステップで、前記他の用途に対応づけて前記一のデバイスの識別情報を記憶させないことを特徴とした情報処理方法である。
【発明の効果】
【００１５】
＜請求項１、７、８の発明＞
本発明によれば情報処理装置は、他の用途に識別情報が対応づけて記憶されており、さらに追加記憶情報が記憶されている場合は、他の用途と対応づけて一のデバイスの識別情報を記憶させる。そのためユーザは、用途ごとに直接デバイスの変更を情報処理装置に入力しなくても、最新のデバイスを使用することができる。
【００１６】
＜請求項２の発明＞
本発明によれば情報処理装置は、過去に一の用途に対応づけて追加記憶情報が記憶されていても、一の用途に対応づけて記憶されているデバイスの識別情報が、特定手段により特定された場合は、追加記憶情報を消去する。そのため、請求項１の効果に加えて、過去に一の用途に対応づけて追加記憶情報が記憶されていても、その後一の用途向けにユーザがデバイスを選択すれば、一の用途向けのデバイスが自動的に別のデバイスに更新されることを防ぐことができる。
【００１７】
＜請求項３の発明＞
本発明によれば、情報処理装置は、他の用途に対応づけて追加記憶情報が記憶されていても、所定の期間内にデバイスへ他の用途向けの処理を実行するよう指示を送信していれば、他の用途に対応づけて前記一のデバイスの識別情報を記憶させない。そのため、請求項１、２の発明の効果に加えて、ユーザが望まないデバイスの更新を防ぐことができる。
【００１８】
＜請求項４の発明＞
本発明によれば、情報処理装置はＩＰアドレスを用いてデバイスを正確に認識することができることができる。
【００１９】
＜請求項５の発明＞
本発明によれば、情報処理装置はデバイスへ写真印刷、ウェブ印刷、文書印刷、スキャンを実行させるデバイスをそれぞれ記憶することができる。
【００２０】
＜請求項６の発明＞
本発明によれば、情報処理装置は、他の用途に対応づけて追加記憶情報が記憶されていても、デバイスへ他の用途向けの処理を実行するよう指示を送信していれば、他の用途に対応づけて前記一のデバイスの識別情報を記憶させない。そのため、請求項１、２、４、５の発明の効果に加えて、ユーザが望まないデバイスの更新を防ぐことができる。
【図面の簡単な説明】
【００２１】
【図１】情報処理装置１００の外観図
【図２】情報処理装置１００の電気的構成を示すブロック図
【図３】アプリアイコンの表示画面の一例
【図４】情報処理装置１００と、情報処理装置１００と通信を行うプリンタとの間の接続の模式図
【図５】用途選択画面の一例
【図６】用途と印刷対象の受け付け処理
【図７（ａ）】写真印刷が選択された場合の印刷指示処理
【図７（ｂ）】印刷指示画面の一例
【図７（ｃ）】プリンタから情報処理装置が受信した情報の一例
【図８（ａ）】他の用途向けのデフォルトプリンタの記憶或いは更新処理
【図８（ｂ）】更新確認画面の一例
【図９】フラッシュメモリ１０９が記憶する用途ごとのデフォルトプリンタに関する情報
【発明を実施するための形態】
【００２２】
以下、本発明の実施の形態について図面を参照して説明する。図１に示す情報処理装置１００は、例えば携帯電話や携帯端末装置などの携帯型の装置である。情報処理装置１００の筐体は偏平な箱状に形成されており、その一側面は操作面１００ａとして形成されている。操作面１００ａの中央部には表示領域１０１が、表示領域１０１の下部には入力Ｉ／Ｆ１０４が設けられている。
【００２３】
図２は、情報処理装置１００の電気的構成を示すブロック図である。情報処理装置１００は、表示手段１０２、タッチパネル１０３、入力Ｉ／Ｆ１０４、無線通信Ｉ／Ｆ１０５、ＣＰＵ１０６、ＲＯＭ１０７、ＲＡＭ１０８、フラッシュメモリ１０９などを備えており、これらは入出力ポート１１０を介して互いに接続されている。
【００２４】
表示手段１０２は、表示領域１０１を備える。表示手段１０２は、ＣＰＵ１０６から出力される画信号を受信し、受信した画信号にもとづき、画像を表示領域１０１に表示させる。表示手段１０２としては、例えばＬＣＤや、有機ＥＬパネルなどを用いることができる。
【００２５】
タッチパネル１０３は透明な部材により形成され、表示領域１０１の表面を覆うようにして配設されている。タッチパネル１０３は、ユーザの指などによりタッチされた位置を検出し、検出した位置情報をＣＰＵ１０６へ出力する。以下、ＣＰＵ１０６がタッチパネル１０３から出力される位置情報を受け取ることを、ＣＰＵ１０６がタッチを受け付けた等と表現する。
【００２６】
入力Ｉ／Ｆ１０４は、例えば操作ボタンである。入力Ｉ／Ｆ１０４が押下されると、情報処理装置１００は起動される。
【００２７】
ＣＰＵ１０６は、ＲＯＭ１０７やフラッシュメモリ１０９に記憶されるプログラムに従い、入出力ポート１１０に接続された各部を制御する。ＲＯＭ１０７には、ＣＰＵ１０６で実行されるプログラムが格納されている。ＲＡＭ１０８はＣＰＵ１０６の処理に必要な情報を一時的に記憶する。フラッシュメモリ１０９は、不揮発性のメモリである。フラッシュメモリ１０９には、画像データや、文書データなどが記憶可能である。また、詳細は後述するが、用途ごとのデフォルトプリンタのＩＰアドレス、型番、自動設定フラグ、最新印刷日時などが記憶されている。さらに、フラッシュメモリ１０９には、様々なアプリケーションプログラム（以下、単にアプリと称する）を記憶することができる。フラッシュメモリに記憶されているアプリのアイコンは、表示領域１０１に表示される。図３は、アプリアイコン表示画面の一例である。ここでは、カレンダーアプリ、プリントアプリ、インターネットブラウザアプリ、写真ビュアアプリ、メモ帳アプリのアイコンが表示されている。ＣＰＵ１０６はアイコンのタッチを受け付けると、アイコンに対応するアプリを起動する。
【００２８】
図４に情報処理装置１００と、情報処理装置１００と通信を行うプリンタとの間の接続の模式図を示す。情報処理装置１００は、無線通信Ｉ／Ｆ１０５を介して、無線ＬＡＮ方式の無線通信によりアクセスポイント４００と通信を行う。アクセスポイント４００には、インクジェットＭＦＰ２００、カラーレーザープリンタ３００が接続されている。ここで、ＭＦＰとは、印刷機能、スキャン機能、コピー機能を備える多機能周辺装置（Ｍｕｌｔｉｆｕｎｃｔｉｏｎ  Ｐｅｒｉｐｈｅｒａｌ）を示す。情報処理装置１００は、プリントアプリを実行し、アクセスポイント４００を介して印刷要求をインクジェットＭＦＰ２００やカラーレーザープリンタ４００に送信することができる。すなわち、情報処理装置１００は、アクセスポイント４００を介してインクジェットＭＦＰ２００、カラーレーザープリンタ３００を使用することができる。
【００２９】
図５は、プリントアプリが起動された後、表示領域１０１に表示される用途選択画面である。用途とは印刷対象の種類であり、本実施形態では、例としてプリンタに写真データを印刷させる写真印刷、ウェブページを印刷させるウェブ印刷、文書データを印刷させる文書印刷が挙げられる。ＣＰＵ１０６は、表示領域１０１において、用途のアイコンのタッチを受け付けると、タッチされたアイコンが示す用途を選択されたと判断する。写真印刷が選択されると、情報処理装置１００がＪＰＥＧやＢｉｔｍａｐ、ＧＩＦなどの画像データの印刷要求を、プリンタへ送信し、デバイスに印刷を実行させる処理（以下、写真印刷処理とする）が行われる。ウェブ印刷が選択されると、情報処理装置１００がウェブページの印刷要求を、プリンタへ送信し、デバイスに印刷を実行させる処理（以下、ウェブ印刷処理とする）が行われる。文書印刷が選択されると、情報処理装置１００がＰＤＦやｔｘｔ、ｄｏｃなどの文書データの印刷要求を、プリンタへ送信し、プリンタに印刷を実行させる処理（以下、文書印刷処理とする）が行われる。
【００３０】
以下、図６〜図８を用いて、プリントアプリに従いＣＰＵ１０６が各部を制御する処理について説明する。図６に、プリントアプリが起動された後の、用途と印刷対象の受け付け処理を示す。ＣＰＵ１０６は、写真印刷のアイコン、ウェブ印刷のアイコン、文書印刷のアイコンいずれか１つのタッチを受け付けたか、判断する（Ｓ６０１）。ＣＰＵ１０６が、いずれか１つのタッチを受け付けたと判断した場合は（Ｓ６０１・はい）、Ｓ６０２へ進む。一方ＣＰＵ１０６がアイコンのタッチを受け付けていないと判断した場合は（Ｓ６０１・いいえ）、タッチを受け付けるまで判断を繰り返す。
【００３１】
Ｓ６０２では、ＣＰＵ１０６は、Ｓ６０１で受け付けた用途に対応するデータの中から印刷対象となるデータの選択を受け付ける。印刷対象となるデータの選択方法は周知であり、さらに本願の趣旨ではないので詳細は省略するが、以下にその一例を示す。写真印刷や、文書印刷のように、印刷対象となるデータがフラッシュメモリ１０９に記憶されている場合は、次のように構成することができる。ＣＰＵ１０６は印刷対象となる画像データ、或いは文書データをフラッシュメモリ１０９から読み出し、そのファイル名とサムネイルを、表示領域１０１に一覧表示させる。ＣＰＵ１０６は表示領域１０１に表示させたファイル名とサムネイルのいずれかのタッチを受け付ける。（Ｓ６０２）。ウェブ印刷の場合は、次のように構成することができる。ＣＰＵ１０６は、ユーザが所望するウェブページを表示領域１０１へ表示させる。ウェブページの表示方法は記載を省略する。ＣＰＵ１０６は、表示領域にウェブページと併せて、ウェブページのＵＲＬと、表示されているウェブページを印刷対象とするよう指示するアイコンとを表示させる。そのアイコンのタッチを受け付けると、ＣＰＵ１０６は表示しているウェブページを印刷対象とする指示を受け付ける（Ｓ６０２）。次いで、Ｓ６０３へ進む。
【００３２】
Ｓ６０３ではＣＰＵ１０６は印刷対象として受け付けたデータの所在情報をＲＡＭ１０６に記憶する（Ｓ６０３）。具体的には、データが画像データ、或いは文書データの場合は絶対パスを含む所在情報を、データがウェブページである場合はウェブページのＵＲＬをＲＡＭ１０８に記憶させる。そして、この処理を終了し、印刷指示処理へと進む。
【００３３】
図７（ａ）を用いて、図６のＳ６０１で写真印刷が選択された場合の印刷指示処理について説明する。Ｓ７０１では、ＣＰＵ１０６は、フラッシュメモリ１０９を参照し、写真印刷用デフォルトプリンタのＩＰアドレスが記憶されているか判断する（Ｓ７０１）。ここで、デフォルトプリンタとは、情報処理装置１００が、印刷処理を実行させるために印刷要求を送信する際に、ユーザがプリンタを選択する操作を減らすために予め設定されたプリンタのことである。本発明において、情報処理装置１００は写真印刷、ウェブ印刷、文書印刷のそれぞれの用途ごとに、デフォルトプリンタのＩＰアドレスと、デフォルトプリンタの関連情報を記憶する。その一例を図９に示す。フラッシュメモリ１０９には、それぞれの用途ごとのデフォルトプリンタのＩＰアドレス、型番、自動設定フラグ、最新印刷日時を示すテーブルＡが記憶されている。自動設定フラグと、最新印刷日時については、後ほど詳細を説明する。ＣＰＵ１０６はフラッシュメモリ１０９のテーブルＡに写真印刷用デフォルトプリンタのＩＰアドレスが記憶されていると判断した場合は（Ｓ７０１・はい）Ｓ７０２へ進む。一方、テーブルＡに写真印刷用デフォルトプリンタが記憶されていないと判断した場合は（Ｓ７０１・いいえ）、Ｓ７０４へ進む。
【００３４】
Ｓ７０２では、ＣＰＵ１０６は表示領域１０１に印刷指示画面を表示させる（Ｓ７０２）。印刷指示画面の一例を図７（ｂ）に示す。印刷指示画面には、写真印刷用デフォルトプリンタの型番、印刷指示アイコン５００、再選択アイコン６００が表示されている。次いで、Ｓ７０３へ進む。
【００３５】
Ｓ７０３では、ＣＰＵ１０６は写真印刷用デフォルトプリンタの再選択を受け付けたか判断する（Ｓ７０３）。具体的にはＣＰＵ１０６は、印刷指示画面において再選択アイコン６００のタッチを受け付けたかを判断している。ＣＰＵ１０６は写真印刷用デフォルトプリンタの再選択を受け付けたと判断すると（Ｓ７０３・はい）Ｓ７０４へ進む。一方、写真印刷用デフォルトプリンタの再選択を受け付けていない場合は（Ｓ７０３・いいえ）、Ｓ７０８へ進む。
【００３６】
Ｓ７０４でＣＰＵ１０６はネットワーク上の選択可能なプリンタの型番を、表示領域１０１に表示させる（Ｓ７０４）。この処理は次のように行われる。ＣＰＵ１０６は、無線通信Ｉ／Ｆ１０５を制御して、情報処理装置１００が接続しているネットワークにプリンタの型番と、機能に関する情報を返信するようプリンタに要求するパケットを、ブロードキャストさせる。すると、ネットワークに接続した各プリンタから返信がある。無線通信Ｉ／Ｆ１０５は、プリンタから返信されるプリンタの型番と、機能に関する情報を含むパケットを受信する。無線通信Ｉ／Ｆが受信するパケットは、プリンタのＩＰアドレスを送信元アドレスとして、情報処理装置１００のＩＰアドレスを受信先アドレスとして含んでいる。そして、ＣＰＵ１０６は無線通信Ｉ／Ｆ１０５に受信されたプリンタの型番と、機能に関する情報と、プリンタのＩＰアドレスとを対応付けてＲＡＭ１０８に記憶させる。図７（ｃ）に、本実施形態においてＣＰＵ１０６が、ＲＡＭ１０８に記憶させた情報の一例を示す。そしてＣＰＵ１０６は、抽出したプリンタの型番の一覧表示を表示領域１０１に表示させる。
【００３７】
Ｓ７０５では、ＣＰＵ１０６はＳ７０４で表示領域１０１に表示させた一覧表示において、プリンタの選択を受け付けたか判断する（Ｓ７０５）。具体的には、表示領域１０１に表示させたプリンタの型番のタッチを受け付けたかを判断している。プリンタの選択を受け付けたと判断した場合は（Ｓ７０５・はい）、Ｓ７０６へ進む。一方、プリンタの選択を受け付けたと判断しない場合は（Ｓ７０５・いいえ）判断を繰り返す。
【００３８】
Ｓ７０６では、ＣＰＵ１０６はＳ７０５で選択を受け付けたプリンタのＩＰアドレス、型番を、フラッシュメモリ１０９に記憶されているテーブルＡの写真印刷用デフォルトプリンタのＩＰアドレスと、型番を記憶する領域に記憶させる。さらに、ＣＰＵ１０６は、テーブルＡの写真印刷用デフォルトプリンタの自動設定フラグをオフにする。詳細は後述するが、自動設定フラグとは、デフォルトプリンタをユーザ設定したのか、あるいはＣＰＵ１０６が自動設定したのかを示すためのフラグである。ここでは、ユーザがプリンタを選択（Ｓ７０５）しているため、オフにしている。
【００３９】
Ｓ７０７では、ＣＰＵ１０６は表示領域１０１に印刷指示画面を表示させる（Ｓ７０７）。印刷指示画面は、Ｓ７０２で表示させたものと同一のものである。なお、写真印刷用デフォルトプリンタはＳ７０６で変更されているので、ＣＰＵ１０６はフラッシュメモリ１０９に記憶されるテーブルＡから現時点のデフォルトプリンタの型番を読み出して、印刷指示画面に表示させる。
【００４０】
Ｓ７０８では、ＣＰＵ１０６は印刷指示を受け付けたか判断する（Ｓ７０８）。具体的にはＣＰＵ１０６は、印刷指示画面において印刷指示アイコン５００のタッチを受け付けたかを判断している。ＣＰＵ１０６は、印刷指示を受け付けたと判断すると（Ｓ７０８・はい）、Ｓ７０９へ進む。一方、ＣＰＵ１０６は、印刷指示を受け付けていない場合は（Ｓ７０８・いいえ）、Ｓ７０３へ進む。
【００４１】
Ｓ７０９では、ＣＰＵ１０６はフラッシュメモリ１０９に記憶されたテーブルＡにおいて、写真印刷用デフォルトプリンタの最新印刷日時の領域に、現在の日時を記憶させる。
【００４２】
Ｓ７１０では、ＣＰＵ１０６はフラッシュメモリ１０９に記憶されるテーブルＡから読み出したＩＰアドレスを受信先に設定し、無線通信Ｉ／Ｆ１０５を制御し、図６のＳ６０２で選択を受け付けた画像データの印刷要求を、写真印刷用デフォルトプリンタへ送信させる（Ｓ７１０）。
【００４３】
Ｓ７１１では、他の用途向けのデフォルトプリンタ（ここではウェブ印刷用デフォルトプリンタと、文書印刷用デフォルトプリンタ）の記憶更新処理を行う（Ｓ７１１）。この処理はサブルーチンとなっている。図８（ａ）を用いてＳ７１１のうち、ウェブ印刷用デフォルトプリンタの記憶更新処理について、より詳細な説明を行う。
【００４４】
まず、Ｓ８０１では、ＣＰＵ１０６はフラッシュメモリ１０９に記憶されているテーブルＡに、ウェブ印刷用デフォルトプリンタのＩＰアドレスと型番が記憶されているか判断する（Ｓ８０１）。ＣＰＵ１０６は、ウェブ印刷用デフォルトプリンタのＩＰアドレスと型番がテーブルＡに記憶されていると判断すると（Ｓ８０１・はい）、Ｓ８０２へ進む。一方、記憶されていないと判断すると（Ｓ８０１・いいえ）、Ｓ８０９へ進む。
【００４５】
Ｓ８０２では、ウェブ印刷用デフォルトプリンタと、写真印刷用デフォルトプリンタが同一のプリンタであるかを判断する。具体的には、ＣＰＵ１０６は、フラッシュメモリ１０９に記憶されているテーブルＡにおいて、写真印刷用デフォルトプリンタと、ウェブ印刷用デフォルトプリンタのＩＰアドレスと、型番の両方が一致するかにより判断する。ＣＰＵ１０６がウェブ印刷用デフォルトプリンタと、写真印刷用デフォルトプリンタが同一のプリンタであると判断すると（Ｓ８０２・はい）、この処理を終了する。図７（ａ）の処理で記憶された写真印刷用デフォルトプリンタと、ウェブ印刷用デフォルトプリンタが、同一のプリンタである場合は、ウェブ印刷用デフォルトプリンタを更新する必要がないからである。一方、ウェブ印刷用デフォルトプリンタと、写真印刷用デフォルトプリンタが同一ではないと判断すると（Ｓ８０２・いいえ）、Ｓ８０３へ進む。
【００４６】
Ｓ８０３では、ＣＰＵ１０６はフラッシュメモリ１０９に記憶されているテーブルＡにおいて、ウェブ印刷用デフォルトプリンタの自動設定フラグがオンであるかオフであるかを判断する。（自動設定フラグのオンが、本発明の追加記憶情報に該当する。）ユーザが自らデフォルトプリンタとなるプリンタを選択した場合は、このフラグはオフされ（図７のＳ７０６、Ｓ７０９、図８（ａ）のＳ８０７）、ユーザの意思によらずデフォルトプリンタとなるプリンタが選択された場合は自動設定フラグはオンされる（図８（ａ）のＳ８０９）。そこで、ＣＰＵ１０６は、フラッシュメモリ１０９に記憶されているテーブルＡにおいてウェブ印刷用デフォルトプリンタの自動設定フラグがオフである場合は（Ｓ８０３・オフ）、この処理を終了し、自動設定フラグがオンである場合は（Ｓ８０３・オン）、Ｓ８０４へ進む。
【００４７】
Ｓ８０４では、ＣＰＵ１０６はウェブ印刷用のデフォルトプリンタの最新印刷日時が、所定の期間内であるかを判断する。ここでは、判断時より１年以内であるとする。より具体的には、ＣＰＵ１０６はフラッシュメモリ１０９に記憶されるテーブルＡにおいて、ウェブ印刷用デフォルトプリンタの最新印刷日時が、判断時の日時から一年以内である場合は（Ｓ８０４・はい）、Ｓ８０５へ進み、一年より前である場合、もしくは最新印刷日時が記憶されていない場合は（Ｓ８０４・いいえ）、Ｓ８０９へ進む。
【００４８】
Ｓ８０５では、ＣＰＵ１０６は表示領域１０１に更新確認画面を表示する。更新画面の一例を、図８（ｂ）に示す。更新確認画面を表示するのは、次の理由からである。ウェブ印刷用デフォルトプリンタが、ユーザの意思によって選択された場合ではない場合は、新しいプリンタが追加されれば、新しく追加されたプリンタをウェブ印刷用デフォルトプリンタとしても更新することを、ユーザが所望することが予想される。しかし、一年以内にウェブ印刷用デフォルトプリンタが使用されている場合、ユーザが現在のウェブ印刷用デフォルトプリンタを引き続き使用することを所望している可能性もある。そのため、ユーザに他の用途向けのデフォルトプリンタ（ここでは写真印刷用デフォルトプリンタである）が変更されたことをきっかけに、ウェブ印刷用デフォルトプリンタも合わせて変更する意思があるかを問うために、更新確認画面を表示している。
【００４９】
Ｓ８０６では、ＣＰＵ１０６が表示領域１０１に表示した更新確認画面において、「はい」のタッチを受け付けると（Ｓ８０６・はい）、Ｓ８０７へ進む。一方、ＣＰＵ１０６が「いいえ」のタッチを受け付けると（Ｓ８０６・いいえ）、この処理を終了する。
【００５０】
Ｓ８０７では、ＣＰＵ１０６はフラッシュメモリ１０９に記憶されているテーブルＡにおいて、ウェブ印刷用デフォルトプリンタの自動設定フラグをオフにする（Ｓ８０７）。写真印刷用デフォルトプリンタをウェブ印刷用プリンタとしても記憶することを、自動ではなくユーザ自身が決定したためである。次いで、Ｓ８０８へ進む。
【００５１】
Ｓ８０８では、ＣＰＵ１０６は写真印刷用デフォルトプリンタを、ウェブ印刷用デフォルトプリンタとしても記憶する（Ｓ８０８）。具体的には、次のような処理が行われる。ＣＰＵ１０６は、フラッシュメモリ１０９に記憶されているテーブルＡにおいて、写真印刷用デフォルトプリンタのＩＰアドレスと型番を読み出す。さらに、ＣＰＵ１０６は、読み出したＩＰアドレス、型番を、フラッシュメモリ１０９のテーブルＡに、ウェブ印刷用デフォルトプリンタのＩＰアドレス、型番としても記憶させる。さらに、最新印刷日時をクリアする。ここで最新印刷日時をクリアすることで、ウェブ印刷用デフォルトプリンタの記憶、更新処理の後、新しいウェブ印刷用デフォルトプリンタが使用された日時を正確に把握することができる。
【００５２】
Ｓ８０９では、ＣＰＵ１０６はフラッシュメモリ１０９に記憶されているテーブルＡにおいて、ウェブ印刷用デフォルトプリンタの自動設定フラグをオンにする。これは、次の理由による。Ｓ８０９の後にＣＰＵ１０６はＳ８０８へ進み、写真印刷用デフォルトプリンタを、ウェブ印刷用デフォルトプリンタとして記憶させる処理を実行する。つまり、ユーザに問い合わせることなく自動的にウェブ印刷用デフォルトプリンタを決定するからである。
【００５３】
Ｓ８０８が実行されると、ＣＰＵ１０６はこの処理を終了する。
その後、ＣＰＵ１０６は、文書印刷用デフォルトプリンタについても、図８（ａ）に示した処理と、同様の処理を行う。この処理については、記載を省略する。
【００５４】
図７（ａ）では、図６のＳ６０１で写真印刷が選択された場合の印刷指示処理について説明した。しかし、ウェブ印刷、文書印刷が選択された場合も、それぞれフラッシュメモリ１０９に記憶されるテーブルＡにおいて、読み出したり、記憶させたりする領域が異なるだけであり、基本的には同様の処理が実行される。そして、ウェブ印刷用デフォルトプリンタについて印刷指示処理が行われた場合は、他の用途向けのデフォルトプリンタの記憶更新処理は、写真印刷用デフォルトプリンタと、文書印刷用デフォルトプリンタについて行われる。文書印刷用デフォルトプリンタについて、印刷指示処理が行われた場合は、他の用途向けのデフォルトプリンタの記憶更新処理は、写真印刷用デフォルトプリンタと、ウェブ印刷用デフォルトプリンタについて、行われる。
【００５５】
このように、本実施形態に係る情報処理装置１００は、写真印刷、ウェブ印刷、文書印刷の、それぞれの用途ごとにデフォルトプリンタを設定している。そのため、用途に合わせて適したプリンタを、都度選択する煩わしさをユーザが感じるという問題が発生しない。
【００５６】
また、情報処理装置１００は、一の用途向けのデフォルトプリンタを記憶した際、他の用途向けのデフォルトプリンタが、まだ記憶されていないときは、一の用途向けのデフォルトプリンタを、他の用途向けのデフォルトプリンタとしても記憶する。そのため、全ての用途において各々、ユーザが直接デフォルトプリンタを選択する必要がなくなり、ユーザにとって便利である。
【００５７】
さらに、情報処理装置１００が、一の用途向けのデフォルトプリンタを、他の用途向けのデフォルトプリンタとしても記憶した場合は、その旨を記憶する。そして、一の用途向けのデフォルトプリンタが変更されたときは、情報処理装置１００は他の用途向けのデフォルトプリンタも、ユーザが直接選択したものでなければ一のデフォルトプリンタの変更に合わせて変更する。そのため、ユーザは、用途ごとに直接プリンタ変更を行わなくても、最新のプリンタをデフォルトプリンタとして使用することができる。なお、デフォルトプリンタが、ユーザにより直接選択されたプリンタではない場合でも、印刷実績がありユーザが継続してデフォルトプリンタを使用する意思があればその意思が尊重され、デフォルトプリンタの変更はおこなわれない。このように、本実施形態では、高いユーザビリティを提供することができる。
【００５８】
本発明は前述した実施形態に何ら限定されることはなく、本発明の技術的範囲に属する限り種々の態様で実施できる。プリントアプリの用途は、写真印刷、ウェブ印刷、文書印刷に限らず、これらよりも多くても少なくてもよい。また、用途は印刷に限らず、スキャンがあってもよい。その場合、図６のＳ６０２、Ｓ６０３は必要なくなる。また、図７（ａ）のＳ７０２、Ｓ７０７では、ＣＰＵ１０６は印刷指示画面ではなくスキャン指示画面を表示する。Ｓ７０４ではＣＰＵ１０６はネットワーク上の選択可能なスキャン機能を備えるデバイスの型番を、表示領域１０１に表示させる。
【００５９】
また、プリンタを識別するための情報として、前述した実施形態ではＩＰアドレスとプリンタの型番を用いていた。しかし、ＩＰアドレスに代えて、ＭＡＣアドレスや、ＵＲＬを用いてもよい。ＵＲＬを用いる場合、ＣＰＵ１０６は、対応するＩＰアドレスを取得して、取得したＩＰアドレスをデバイスとの通信に用いればよい。
【００６０】
また、図７（ａ）においてＣＰＵ１０６は、Ｓ７０６ではＩＰアドレスと型番をＲＡＭ１０８に記憶させ、Ｓ７０９でＲＡＭ１０８から読み出したＩＰアドレスと型番をフラッシュメモリ１０９に記憶されているテーブルＡのＩＰアドレスと型番を記憶する領域に記憶させる構成としてもよい。また、その場合、Ｓ７０７で表示される印刷指示画面に表示するデフォルトプリンタは、ＲＡＭ１０８から読み出される。
【００６１】
また、図８（ａ）において、Ｓ８０５、Ｓ８０６は必ずしも行わなくてもよい。その場合、Ｓ８０４・はいとなった場合は、ＣＰＵ１０６は図８の処理を終了することになる。
【００６２】
また、図８（ａ）のＳ８０４において、最新印刷日時が判断時の日時から一年以内かどうか判断する際、例えば次に挙げるように複数の方法が考えられるが、そのいずれを用いてもよい。また、それら以外の方法でもよい。1つ目の方法：最新印刷日時から判断時の日時までの時間を算出する。算出した時間が一年間より長いか、一年間以下であるかで判断する。２つ目の方法：判断時の日時から一年前に該当する日時を算出する。最新印刷日時が、算出した日時時丁度もしくは算出した日時よりも新しい（未来側）か、古い（過去側）かにより判断する。３つ目の方法：最新印刷日時から一年後に該当する日時を算出する。判断時の日時が、算出した日時より新しい（未来側）か、古い（過去側）もしくは丁度算出した日時かにより判断する。さらに、最新印刷日時からの期間は、一年に限らない。また、単に印刷履歴が存在するか、しないかにより判断を行ってもよい。印刷履歴が存在するか、しないかにより判断を行う場合、ＣＰＵ１０６は、フラッシュメモリ１０９に記憶されるテーブルＡの最新印刷日時の領域に、日時が記憶されているかを判断する。そして、日時が記憶されていると判断すると（Ｓ８０４・はい）Ｓ８０５へ進み、記憶されていないと判断すると（Ｓ８０４・いいえ）Ｓ８０９へ進む。また、印刷日時ではなく、印刷を指示したことを示すフラグのオン、オフにより判断する構成としてもよい。その場合、Ｓ７０９ではフラッシュメモリ１０９に記憶されるテーブルＡに、最新印刷日時に代えて印刷を指示したことを示すフラグをオンする。また、言うまでもないが、印刷を指示したことを示すフラグをオンすることと、最新印刷日時を記憶することの両方行ってもよい。
【００６３】
また、フラッシュメモリ１０９に記憶されるテーブルＡに、印刷を指示したこと示すフラグのオンあるいはオフされているかによりＳ８０４の判断が行われる場合は、以下のように図７のＳ７０９を変更してもよい。Ｓ７０９でＣＰＵ１０６はフラッシュメモリ１０９に記憶されるテーブルＡにおいて、写真印刷用デフォルトプリンタの印刷を行ったことを示すフラグをオンにする。さらに、ＣＰＵ１０６はテーブルＡにおいて写真印刷用デフォルトプリンタの自動設定フラグをオフにする（Ｓ７０９）。この場合、図８において、ウェブ印刷用デフォルトプリンタがユーザにより選択されておらず、かつウェブ印刷用デフォルトプリンタへ印刷指示を送信したことがない場合のみＳ８０８が実行され、それ以外の場合は、Ｓ８０８は実行されないことになる。
【００６４】
また、情報処理装置１００は、有線による通信を行う構成としてもよい。
【００６５】
本実施形態では、ユーザが自らデフォルトプリンタとなるプリンタを選択した場合は、自動設定フラグはオフされ、ユーザの意思によらずデフォルトプリンタとなるプリンタが選択された場合はテーブルＡの自動設定フラグがオンされる構成としていた。しかし、ユーザの意思によらずデフォルトプリンタとなるプリンタが選択された場合（Ｓ８０４・いいえ、或いはＳ８０１・いいえ）のみ、テーブルＡに自動設定フラグを記憶させ、ユーザが自らデフォルトプリンタとなるプリンタを選択した場合（Ｓ７０５・はい）はテーブルＡに何も記憶させない構成としてもよい。その場合は、Ｓ７０６では、自動設定フラグをオフすることに代えて、テーブルＡから自動設定フラグを消去することになる。
【符号の説明】
【００６６】
１００  情報処理装置
２００  インクジェットＭＦＰ
３００  カラーレーザープリンタ
４００  アクセスポイント
【図１】
0005170199.tif 000002
【図２】
0005170199.tif 000003
【図３】
0005170199.tif 000004
【図５】
0005170199.tif 000005
【図６】
0005170199.tif 000006
【図７（ａ）】
0005170199.tif 000007
【図７（ｂ）】
0005170199.tif 000008
【図７（ｃ）】
0005170199.tif 000009
【図８（ａ）】
0005170199.tif 000010
【図８（ｂ）】
0005170199.tif 000011
【図９】
0005170199.tif 000012
【図４】
0005170199.tif 000013